(57)【要約】【課題】植物栽培施設用のＣＯ２濃度センサを、短い時間で正確に校正する。【解決手段】ＣＯ２濃度センサ校正システム２０は、キノコ栽培の施設１０に設けられており、制御部２２を中心に、ＣＯ２濃度センサ４０，吸引ポンプ４２，ＣＯ２吸着部５０，三方弁４４及び４６，複数の配管Ｐ１〜Ｐ７により構成されている。吸引ポンプ４２は常時駆動しておき、校正動作を行うときは、三方弁４４，４６の切替により、図３(B)に示すように、三方弁４４→配管Ｐ２→ＣＯ２濃度センサ４０→配管Ｐ３→三方弁４６→配管Ｐ６→ＣＯ２吸着部５０→配管Ｐ７→三方弁４４で形成される閉じた流路Ｂを形成する。前記流路Ｂを形成してから一定時間経過後に測定されるＣＯ２濃度をゼロとしてＣＯ２濃度センサ４０の校正を行う。外気によるズレがなく、正確に短時間で校正するとともに、少ない空気を閉空間で循環させるため、ＣＯ２吸着剤の劣化が遅く交換頻度が少なくてよい。【選択図】図３
2018027056.tif 000002
【特許請求の範囲】
【請求項１】
植物栽培用の施設のＣＯ２濃度センサの校正システムであって、
前記施設内のＣＯ２濃度を測定するＣＯ２濃度センサと、
前記施設内の空気を吸引する吸引手段と、
ＣＯ２の吸着剤が設けられたＣＯ２吸着部と、
前記ＣＯ２吸着部の空気排出側と前記ＣＯ２濃度センサの空気導入側との間に配置された第１の流路切替手段と、
前記ＣＯ２濃度センサの空気排出側と前記ＣＯ２吸着部の空気導入側との間に配置された第２の流路切替手段と、
前記空気の流路であって、前記ＣＯ２濃度センサ，前記吸引手段，前記ＣＯ２吸着部，前記第１及び第２の流路切替手段を上記配置となるように接続する複数の配管と、
を備えており、
前記第１及び第２の流路切替手段により、
前記第１の流路切替手段，前記吸引手段，前記ＣＯ２濃度センサ，前記第２の流路切替手段及び複数の配管により形成される前記施設と連通するＣＯ２濃度測定用流路と、
前記第１の流路切替手段，前記吸引手段，前記ＣＯ２濃度センサ，前記第２の流路切替手段，前記ＣＯ２吸着部及び前記複数の配管により形成される前記施設と遮断されたＣＯ２濃度校正用流路と、
が切り替え可能であることを特徴とする植物栽培施設用のＣＯ２濃度センサ校正システム。
【請求項２】
前記ＣＯ２濃度センサ，前記吸引手段，前記第１及び第２の流路切替手段のそれぞれに配線により接続されており、
前記第１及び第２の流路切替手段の動作を制御して、
前記ＣＯ２濃度測定用流路と、前記ＣＯ２濃度校正用流路とを自動的に切り替える制御手段，
を備えたことを特徴とする請求項１記載の植物栽培施設用のＣＯ２濃度センサ校正システム。
【請求項３】
タイマ手段及びデータ記憶手段、
を備えるとともに、
前記制御手段は、
前記ＣＯ２濃度校正用流路を形成してから、前記タイマ手段により一定時間が経過したことが判断された後に、
前記ＣＯ２濃度センサが検知している濃度をゼロとして前記データ記憶部に記憶して、前記ＣＯ２濃度センサを校正し、
前記校正終了後に、前記ＣＯ２濃度校正用流路から、前記ＣＯ２濃度測定用流路に切り替えることを特徴とする請求項２記載の植物栽培施設用のＣＯ２濃度センサ校正システム。
【請求項４】
カレンダ情報を有するカレンダ部、
を備えるとともに、
前記制御部は、
前記カレンダ部を参照して、所定の日時に又は最後の校正から所定時間が経過したときに、前記ＣＯ２濃度測定用流路から、前記ＣＯ２濃度校正用流路へ切り替えることを特徴とする請求項２又は３記載の植物栽培施設用のＣＯ２濃度センサ校正システム。
【請求項５】
前記ＣＯ２吸着部が、
蓋によって密閉可能な容器と、
該容器の上部に空間を残して充填されるＣＯ２吸着剤と、
前記蓋を貫通し、前記ＣＯ２吸着剤が充填されている部分に一端が位置し、他端側が前記第１の流路切替手段に接続する排出管と、
前記蓋を貫通し、前記空間に一端が位置し、他端側が前記第２の流路切替手段に接続する導入管と、
からなることを特徴とする請求項１〜４のいずれか一項に記載の植物栽培施設用のＣＯ２濃度センサ校正システム。
【請求項６】
請求項１記載の植物栽培施設用のＣＯ２濃度センサ校正システム用の外付ユニットであって、
前記ＣＯ２吸着部と、前記第２の流路切替手段と、少なくとも前記ＣＯ２吸着部と第２の流路切替手段を接続する配管とによってユニットを構成し、
前記ＣＯ２吸着部の空気排出側と前記第１の流路切替手段を着脱可能とし、
前記ＣＯ２濃度センサの空気排出側と前記第２の流路切替手段を着脱可能としたことを特徴とするＣＯ２濃度センサ校正システム用の外付ユニット。
【請求項７】
請求項２〜５のいずれか一項に記載のＣＯ２濃度センサ校正システム用の外付ユニットであって、
前記ＣＯ２吸着部と、前記第２の流路切替手段と、少なくとも前記ＣＯ２吸着部と第２の流路切替手段を接続する配管とによってユニットを構成し、
前記ＣＯ２吸着部の空気排出側と前記第１の流路切替手段を着脱可能とし、
前記ＣＯ２濃度センサの空気排出側と前記第２の流路切替手段を着脱可能とし、
前記制御部と前記第２の流路切替手段が、配線によって着脱可能であることを特徴とするＣＯ２濃度センサ校正システム用の外付ユニット。
【発明の詳細な説明】
【技術分野】
【０００１】
本発明は、植物栽培施設用のＣＯ２（二酸化炭素）濃度センサ校正システム及びその外付ユニットに関し、更に具体的には、空気を利用したＣＯ２濃度センサの校正に関するものである。
【背景技術】
【０００２】
植物栽培施設（温室やビニールハウスなど）では、ＣＯ２濃度センサ（二酸化炭素濃度センサ）が用いられることがある。例えば、キノコ栽培においては、施設内のＣＯ２濃度がキノコの生育に与える影響は大きく、１０００〜３０００ｐｐｍがよいとされている。これよりもＣＯ２濃度が高いと生育不良となるおそれがある。従って、施設内のＣＯ２濃度を監視して、常に適切なＣＯ２濃度を保つように、ＣＯ２濃度センサと、そのセンサ出力に基づいてＣＯ２濃度を制御する制御装置が設けられる（例えば、下記特許文献１）。このようなＣＯ２濃度センサは、従来は、基準ガスや大気（施設の外気）を用いて校正が行われている。
【先行技術文献】
【特許文献】
【０００３】
【特許文献１】特開平１０−９８９４９号公報
【発明の概要】
【発明が解決しようとする課題】
【０００４】
しかしながら、上述した基準ガスによる校正では、大気に排出される基準ガスの排出量が多く校正に時間もかかる。従って、１回当たりの校正コストも高くなるという不都合がある。また、大気（施設の外気）を用いた校正では、季節（落葉），昼夜，晴天と雨天等により大気中のＣＯ２濃度が変化する。このほかにも、施設園芸設備の暖房機の煙突からのガス，集荷運搬車両や給油車両等の排気ガス，水路からのガス，土壌微生物からのガス等によっても大気のＣＯ２濃度は影響を受ける。このように、大気のＣＯ２濃度のずれにより、ＣＯ２濃度センサの校正結果にずれが生じることがある。
【０００５】
校正結果がずれると、施設園芸で、光合成時に適度なＣＯ２濃度が維持できなくなる。ＣＯ２濃度が欠乏すると、収量低下や作物の生育に影響を及ぼす。また、ＣＯ２濃度が高すぎると、障害が出たり、換気を行った際、換気窓から濃度差によりＣＯ２が屋外に拡散し、もれてしまう。特に、換気の頻度が増えると、自然界の条件により、施設内のさまざまな条件が変化してしまうため、施設内の環境制御や省エネの面でも、地球環境にも好ましくない。また、外気を用いて校正する場合は、外気導入チューブなどの貫通工事が必要になることもある。
【０００６】
本発明は、以上のような点に着目したもので、植物栽培施設用のＣＯ２濃度センサを、基準ガスや施設外の大気を用いずに、短い時間で正確に校正するＣＯ２濃度センサの校正システム及びその外付ユニットを提供することを、その目的とする。
【課題を解決するための手段】
【０００７】
本発明の植物栽培施設用のＣＯ２濃度センサ校正システムは、前記施設内のＣＯ２濃度を測定するＣＯ２濃度センサと、前記施設内の空気を吸引する吸引手段と、ＣＯ２の吸着剤が設けられたＣＯ２吸着部と、前記ＣＯ２吸着部の空気排出側と前記ＣＯ２濃度センサの空気導入側との間に配置された第１の流路切替手段と、前記ＣＯ２濃度センサの空気排出側と前記ＣＯ２吸着部の空気導入側との間に配置された第２の流路切替手段と、前記空気の流路であって、前記ＣＯ２濃度センサ，前記吸引手段，前記ＣＯ２吸着部，前記第１及び第２の流路切替手段を上記配置となるように接続する複数の配管と、を備えており、前記第１及び第２の流路切替手段により、前記第１の流路切替手段，前記吸引手段，前記ＣＯ２濃度センサ，前記第２の流路切替手段及び複数の配管により形成される前記施設と連通するＣＯ２濃度測定用流路と、前記第１の流路切替手段，前記吸引手段，前記ＣＯ２濃度センサ，前記第２の流路切替手段，前記ＣＯ２吸着部及び前記複数の配管により形成される前記施設と遮断されたＣＯ２濃度校正用流路と、が切り替え可能であることを特徴とする。
【０００８】
主要な形態の一つは、前記ＣＯ２濃度センサ，前記吸引手段，前記第１及び第２の流路切替手段のそれぞれに配線により接続されており、前記第１及び第２の流路切替手段の動作を制御して、前記ＣＯ２濃度測定用流路と、前記ＣＯ２濃度校正用流路とを自動的に切り替える制御手段，を備えたことを特徴とする。
【０００９】
他の形態の一つは、タイマ手段及びデータ記憶手段、を備えるとともに、前記制御手段は、前記ＣＯ２濃度校正用流路を形成してから、前記タイマ手段により一定時間が経過したことが判断された後に、前記ＣＯ２濃度センサが検知している濃度をゼロとして前記データ記憶部に記憶して、前記ＣＯ２濃度センサを校正し、前記校正終了後に、前記ＣＯ２濃度校正用流路から、前記ＣＯ２濃度測定用流路に切り替えることを特徴とする。
【００１０】
更に他の形態の一つは、カレンダ情報を有するカレンダ部、を備えるとともに、前記制御部は、前記カレンダ部を参照して、所定の日時に又は最後の校正から所定時間が経過したときに、前記ＣＯ２濃度測定用流路から、前記ＣＯ２濃度校正用流路へ切り替えることを特徴とする。
【００１１】
更に他の形態の一つは、前記ＣＯ２吸着部が、蓋によって密閉可能な容器と、該容器の上部に空間を残して充填されるＣＯ２吸着剤と、前記蓋を貫通し、前記ＣＯ２吸着剤が充填されている部分に一端が位置し、他端側が前記第１の流路切替手段に接続する排出管と、前記蓋を貫通し、前記空間に一端が位置し、他端側が前記第２の流路切替手段に接続する導入管と、からなることを特徴とする。
【００１２】
本発明の外付ユニットは、請求項１記載の植物栽培施設用のＣＯ２濃度センサ校正システム用の外付ユニットであって、前記ＣＯ２吸着部と、前記第２の流路切替手段と、少なくとも前記ＣＯ２吸着部と第２の流路切替手段を接続する配管とによってユニットを構成し、前記ＣＯ２吸着部の空気排出側と前記第１の流路切替手段を着脱可能とし、前記ＣＯ２濃度センサの空気排出側と前記第２の流路切替手段を着脱可能としたことを特徴とする。
【００１３】
他の発明の外付けユニットは、請求項２〜５のいずれか一項に記載のＣＯ２濃度センサ校正システム用の外付ユニットであって、前記ＣＯ２吸着部と、前記第２の流路切替手段と、少なくとも前記ＣＯ２吸着部と第２の流路切替手段を接続する配管とによってユニットを構成し、前記ＣＯ２吸着部の空気排出側と前記第１の流路切替手段を着脱可能とし、前記ＣＯ２濃度センサの空気排出側と前記第２の流路切替手段を着脱可能とし、前記制御部と前記第２の流路切替手段が、配線によって着脱可能であることを特徴とする。本発明の前記及び他の目的，特徴，利点は、以下の詳細な説明及び添付図面から明瞭になろう。
【発明の効果】
【００１４】
本発明によれば、植物栽培用の施設内のＣＯ２濃度センサと、前記施設内の空気を吸引する吸引手段と、ＣＯ２の吸着剤が設けられたＣＯ２吸着部と、前記ＣＯ２吸着部の空気排出側と前記ＣＯ２濃度センサの空気導入側との間に配置された第１の流路切替手段と、前記ＣＯ２濃度センサの空気排出側と前記ＣＯ２吸着部の空気導入側との間に配置された第２の流路切替手段と、前記空気の流路であって、前記ＣＯ２濃度センサ，前記吸引手段，前記ＣＯ２吸着部，前記第１及び第２の流路切替手段を上記配置となるように接続する複数の配管と、を備えており、前記第１及び第２の流路切替手段により、前記第１の流路切替手段，前記吸引手段，前記ＣＯ２濃度センサ，前記第２の流路切替手段及び複数の配管により形成される前記施設と連通するＣＯ２濃度測定用流路と、前記第１の流路切替手段，前記吸引手段，前記ＣＯ２濃度センサ，前記第２の流路切替手段，前記ＣＯ２吸着部及び前記複数の配管により形成される前記施設と遮断されたＣＯ２濃度校正用流路と、が切り替え可能である。このため、施設外の大気（外気）の影響を受けることなく、短い時間で正確にＣＯ２濃度センサの校正を行うことができる。また、閉じた流路で少ない空気を循環させるため、吸着剤の劣化が遅く、交換間隔を長くすることができるという効果がある。
【図面の簡単な説明】
【００１５】
【図１】本発明の実施例１のシステム構成を示すブロック図である。
【図２】前記実施例１のＣＯ２吸着部の一例を示す図である。
【図３】前記実施例１の作用を示す図であり、(A)はＣＯ２濃度測定・制御時の空気の流路を示す図，(B)はＣＯ２濃度センサの校正動作時の空気の流路を示す図である。
【図４】前記実施例１を示す図であり、(A)濃度測定・制御モードにおけるフローチャート，(B)は校正モードにおけるフローチャートである。
【図５】本発明の実施例２のシステム構成を示すブロック図である。
【発明を実施するための形態】
【００１６】
以下、本発明を実施するための最良の形態を、実施例に基づいて詳細に説明する。
【実施例１】
【００１７】
最初に、図１〜図４を参照しながら本発明の実施例１を説明する。本発明は、植物栽培施設で使用されるＣＯ２濃度センサの校正に広く適用されるものであるが、本実施例では、キノコ栽培用の施設（温室ないしビニールハウス）で使用されるＣＯ２濃度センサの校正を例に挙げて説明するものとする。図１は、本実施例のシステム構成を示すブロック図，図２は、本実施例のＣＯ２吸着部の構成の一例を示す図である。図３は、本実施例の作用を示す図であり、(A)はＣＯ２濃度測定・制御時の空気の流路を示す図，(B)は前記ＣＯ２濃度センサの校正動作時の空気の流路を示す図である。図４(A)は、本実施例による濃度測定・制御モードにおけるフローチャート，図４(B)は校正モードにおけるフローチャートである。
【００１８】
従来、ＣＯ２濃度センサの校正では、通常は基準ガスや大気（施設の外気）を用いた校正を行うが、本発明では、施設内の空気を利用して校正を行うものである。本実施例のＣＯ２濃度センサ校正システム２０は、キノコ栽培用の施設１０内に設けられている。なお、本実施例では、校正システムを施設１０内に設けているが、施設１０外に設けるようにしてもよく、その場合は、後述する配管Ｐ１のみを施設１０内に配置するようにする。前記ＣＯ２濃度センサ校正システム２０は、本実施例では、自動的に校正を行うものであり、各種演算処理や信号の入出力を行うための制御部２２を中心に構成されている。該制御部２２により行われる各種制御は、以下に詳述する。前記制御部２２には、カレンダ部２４，タイマ部２６，データ記憶部２８，表示部・操作部３０，ＣＯ２濃度センサ４０，吸引ポンプ４２，三方弁４４及び４６，ＣＯ２吸着部５０がＷ１〜Ｗ８により接続されている。また、ＣＯ２濃度センサ４０，吸引ポンプ４２，三方弁４４及び４６，ＣＯ２吸着部５０は、空気の流路である複数の配管Ｐ１〜Ｐ７により、通常運転（濃度測定・制御モード）のときの施設１０と連通する流路Ａ（図３(A)参照）と、校正時の施設１０と遮断された閉じた流路Ｂ（図３(B)参照）を形成するように接続されている。
【００１９】
また、前記制御部２２と、前記カレンダ部２４，タイマ部２６，データ記憶部２８，表示部・操作部３０は、それぞれ配線Ｗ１，Ｗ２，Ｗ３，Ｗ４によって接続されている。また、前記制御部２２は、前記ＣＯ２濃度センサ４０，ポンプ４２，三方弁４４及び４６にも、配線Ｗ５，Ｗ６，Ｗ７，Ｗ８によりそれぞれ接続され、これらの動作を制御している。前記カレンダ部２４は、カレンダ情報を記録したものであり、前記タイマ部２６は、時間の経過を計測するものである。また、前記データ記憶部２８は、前記ＣＯ２濃度センサ４０で測定した結果や、その他のキノコ栽培に必要なデータや、図示しない他のセンサの検出結果等を記憶するものである。
【００２０】
前記表示部・操作部３０は、操作部分としては、キーボードやスイッチ類，タッチパネル等が用いられ、表示部分としては、ディスプレイや前記タッチパネル等が用いられる。前記表示部分には、例えば、前記操作部分によってデータ入力するための画面を表示したり、設定された各種条件を表示したり、前記ＣＯ２濃度センサによって測定された測定値等を表示する。本実施例では、表示部・操作部３０を用いて、ＣＯ２濃度の設定を行う。また、図示の例では、表示部・操作部を一体の構成としたが、別々に設ける構成としてもよい。
【００２１】
次に、前記ＣＯ２濃度センサ４０は、施設１０内の空気中に含まれるＣＯ２濃度を測定するためのものであって、本実施例の校正システム２０により自動校正される。該ＣＯ２濃度センサ４０による測定結果に応じて、前記制御部２２は、施設１０内のＣＯ２濃度が適切になるように制御する。例えば、ＣＯ２濃度が低い場合は、図示しないＣＯ２供給装置を駆動して施設１０内にＣＯ２を供給し、ＣＯ２濃度が高い場合には、供給を停止したり、図示しない換気窓の開閉や換気扇のＯＮ／ＯＦＦの切替を行って換気を行ったりするという具合である。このようなＣＯ２濃度センサ４０としては、例えば、ＮＤＩＲ式（非分散型赤外吸収式）などの公知の各種のセンサを用いることができる。
【００２２】
該ＣＯ２濃度センサ４０の空気導入側は、前記吸引ポンプ４２と配管Ｐ３により接続されている。前記ポンプ４２には、配管Ｐ２によって前記三方弁４４が接続され、該三方弁４４には、配管Ｐ１及びＰ７が接続されている。前記三方弁４４の流路を切り替えることで、前記施設１０内の空気が、前記配管Ｐ１，三方弁４４，配管Ｐ２を介して前記吸引ポンプ４２に送られる。また、前記ＣＯ２濃度センサ４０の空気排出側は、配管Ｐ４を介して前記三方弁４６に接続されている。該三方弁４６には、配管Ｐ５及びＰ６が接続されており、前記配管Ｐ６は、前記ＣＯ２吸着部５０の空気導入側に接続され、他方の配管Ｐ５は、施設１０内に通じている。従って、前記三方弁４６の流路を切り替えることで、前記ＣＯ２濃度センサ４０を通過した空気を、配管Ｐ４，三方弁４６，配管Ｐ５を介して前記施設１０内に吐出（排出）することができる。前記三方弁４４と三方弁４６の間には、前記ＣＯ２吸着部５０が配置されている。該ＣＯ２吸着部５０の空気導入側には前記配管Ｐ６が接続され、前記ＣＯ２吸着部５０の空気排出側には前記配管Ｐ７が接続されている。
【００２３】
以上のような構成とすることにより、図３(A)に示す濃度測定・制御モードにおける流路Ａと、図３(B)に示す校正モードにおける流路Ｂに切り替えることができる。具体的には、図３(A)に示すように、施設１０→配管Ｐ１→三方弁４４→配管Ｐ２→吸引ポンプ４２→配管Ｐ３→ＣＯ２濃度センサ４０→配管Ｐ４→三方弁４６→配管Ｐ５→施設１０で形成される、施設１０と連通したＣＯ２濃度測定・制御モードにおける流路Ａが形成される。また、図３(B)に示すように、三方弁４４→配管Ｐ２→吸引ポンプ４２→配管Ｐ３→ＣＯ２濃度センサ４０→配管Ｐ４→三方弁４６→配管Ｐ６→ＣＯ２吸着部５０→配管Ｐ７→三方弁４４で形成される、施設１０とは遮断されたＣＯ２濃度校正モードにおける流路Ｂが形成される。なお、前記三方弁４４，４６の切替は、前記制御部２２により行われる。
【００２４】
次に、前記ＣＯ２吸着部５０について具体的に説明する。前記ＣＯ２吸着部５０は、前記配管Ｐ６から導入した空気に含まれるＣＯ２を吸着するためのＣＯ２吸着剤を備えている。図２には、前記ＣＯ２吸着部５０の具体的形態の一例が示されている。図示の例では、前記ＣＯ２吸着部５０は、上部が開口した容器５２に、ＣＯ２吸着剤６０を充填したものである。前記容器５２の上部開口は、パッキン付きの蓋５４によって密閉可能となっている。また、容器５２としては、外部からＣＯ２吸着剤の色の変化がわかるように、本実施例では透明の容器を用いている。更に、前記ＣＯ２吸着剤６０は、前記容器５２の上部に空間６２を残す程度に充填されている。そして、前記蓋５４には、該蓋５４を貫通するチューブ５６，５８が設けられている。一方のチューブ５６（導入管）は、前記空間６２に一端が位置し、他端が前記配管Ｐ６に接続されている。他方のチューブ５８（排出管）は、前記ＣＯ２吸着剤６０が充填されている部分に一端が位置し、他端が前記配管Ｐ７に接続されている。
【００２５】
前記ＣＯ２吸着剤６０としては、例えば、ソーダライム（又はその相当品）を用いるが、これに限定されるものではなく、公知の各種のＣＯ２吸着剤を用いてよい。また、ＣＯ２吸着剤６０の充填量は、繰り返し校正が可能なキャパシティを有するように決定するとよい。例えば、容器５２として２５０ｍｌの容量のボトルを用い、ＣＯ２吸着剤６０としてソーダライムを充填すると、加速試験では５００回の自動校正でも問題なく校正を行うことができる。むろん、これも一例であり、容器の容量や、ＣＯ２吸着剤の種類や充填量は、施設１０の規模や、栽培するキノコや野菜の種類や量に応じて適宜変更してよい。
【００２６】
次に、図３及び図４も参照して、本実施例の作用を説明する。
＜濃度測定・制御モード＞・・・まず、図３(A)及び図４(A)を参照して、本実施例における通常モード，すなわち、ＣＯ２濃度測定・制御モードＭＡを説明する。まず、前記吸引ポンプ４２は常時駆動しておき、三方弁４４，４６の切替により、図３(A)に示すように、施設１０→配管Ｐ１→三方弁４４→配管Ｐ２→吸引ポンプ４２→配管Ｐ３→ＣＯ２濃度センサ４０→Ｐ４→三方弁４６→配管Ｐ５→施設１０で形成される流路Ａを形成する（図４(A)のステップＳ１０）。前記流路Ａを形成すると、施設１０内の空気が吸引ポンプ４２により吸引されて、ＣＯ２濃度センサ４０へ送られ濃度が測定される（ステップＳ１２）。
【００２７】
そして、前記制御部２２は、前記表示部・操作部３０によって設定された濃度と、前記ＣＯ２濃度センサ４０の測定値を比較し、図示しないＣＯ２供給装置の出力のＯＮ／ＯＦＦを制御する（ステップＳ１４）。施設１０の稼動中は、以上のように常にＣＯ２濃度の測定とその結果に基づく制御を行っており（ステップＳ１６でＮｏ）、校正すべきタイミングが到来したら（ステップＳ１６でＹｅｓ）、校正モードＭＢへ移行する。なお、校正すべきタイミングが到来したかどうかは、前記制御部２２がカレンダ部２４を参照することにより、所定の日時に、又は最後の校正から所定の時間が経過したときに行うようにしてもよい。例えば、校正までの最長期間を６０日程度とし、１０〜３０日に一度校正を行うようにしてもよい。
【００２８】
＜校正モード＞・・・次に、図３(B)及び図４(B)に示す、本実施例による校正モードＭＢについて説明する。制御部２２は、校正モードになったら、図示しないＣＯ２供給装置によるＣＯ２供給や、換気による濃度制御を停止する（図４(B)のステップＳ３０）。そして、三方弁４４，４６の切替により、図３(B)に示すように、三方弁４４→配管Ｐ２→吸引ポンプ４２→配管Ｐ３→ＣＯ２濃度センサ４０→配管Ｐ４→三方弁４６→配管Ｐ６→ＣＯ２吸着部５０→配管Ｐ７→三方弁４４で形成される流路Ｂを形成する（ステップＳ３２）。前記流路Ｂを形成すると、閉じた流路が形成され、ＣＯ２濃度センサ４０とＣＯ２吸着部５０を循環する空気は、施設１０との流通が遮断される。
【００２９】
そして、流路Ａの閉サイクルで、一定時間空気の循環をさせたかどうかを、前記制御部２２が判断する（ステップＳ３４）。具体的には、前記ＣＯ２濃度校正用の流路Ｂを形成してから所定の時間（例えば、３分〜５分程度）が経過したか否かを、前記タイマ部２６を参照して判断する。そして、前記所定の時間が経過したと判断されたら（ステップＳ３４でＹｅｓ）、前記ＣＯ２濃度センサ４０で検知している濃度をゼロとして前記データ記憶部２８に記憶し、前記ＣＯ２濃度センサ４０を校正する（ステップＳ３６）。これにより校正動作が終了するため、前記制御部２２は、前記三方弁４４，４６を通常モードの前記流路Ａに切り替え（ステップＳ３８）、前述の濃度測定・制御モードＭＡへ戻る（ステップＳ４０）。なお、濃度測定・制御モードＭＡでは、前記ＣＯ２吸着部５０には空気は通らないため、ＣＯ２吸着剤の劣化が遅い。
【００３０】
このように、実施例１によれば、次のような効果がある。
(1)施設１０内の空気を利用し、更に、校正時（モードＭＢ）には閉空間を形成して空気を循環させ、その閉空間内にＣＯ２吸着部５０を設けておく。そして、前記閉空間の空気が、前記ＣＯ２吸着部５０を通過するように一定時間循環させることで、該一定時間経過後のＣＯ２濃度をゼロとして、ＣＯ２濃度センサ４０の校正を行うこととした。このため、施設１０外の大気（外気）の影響を受けることなく、正確にＣＯ２濃度センサ４０の校正を行うことができる。
(2)少ない空気を循環させるため、校正時間が短くてすむとともに、ＣＯ２吸着剤６０の劣化が遅く、交換間隔を長くしてメンテナンスの手間を軽減し、コストも削減することができる。
(3)制御部２２により、各部を制御することとしたので、自動校正を行うことができる。
(4)更に、カレンダ部２４，タイマ部２６，データ記憶部２８，表示部・操作部３０を設けることにより、指定した時刻で校正を行うよう設定することができる。例えば、本実施例のようにキノコ栽培であれば、施設１０の内外での温度差が少ない時刻を指定して校正を行うようにしてもよい。また、冬は昼、夏は夜に校正時刻を設定することで、換気運転の少ない時間帯に校正を行い、換気による施設環境の変化をおさえることができる。
【実施例２】
【００３１】
次に、図５を参照しながら本発明の実施例２を説明する。なお、上述した実施例１と同一ないし対応する構成要素には同一の符号を用いることとする。図５は、本実施例のシステム構成を示すブロック図である。前記実施例１は、一体化したＣＯ２濃度センサ校正システム２０を施設１０内に設けることとしたが、本実施例は、既存のＣＯ２濃度測定システムや、ＣＯ２濃度センサ校正システム（以下、これらをまとめて「ＣＯ２濃度管理システム」とする）を利用して、本発明の校正システムを構成するための外付ユニットに関するものである。図５(A)に示すように、既存のＣＯ２濃度管理システム１１０には、前記実施例１と同様のＣＯ２濃度センサ４０，吸引ポンプ４２，三方弁４４，配管Ｐ１〜Ｐ４，Ｐ７が設けられている。前記配管Ｐ４とＰ７の間には、既存のＣＯ２濃度校正部１２０が設けられている。図５に実線で囲った部分が、本実施例で利用できる既存設備である。
【００３２】
前記既存の校正部１２０は、例えば、大気（外気）を利用したものであって、図示しない外気導入管等が設けられている。本実施例では、前記既存の校正部１２０を、前記三方弁４４及びＣＯ２濃度センサ４０から取り外し、その代わりに、前記ＣＯ２吸着部５０，三方弁４６，配管Ｐ６により構成される外付ユニット１３０を設置する。なお、前記ＣＯ２吸着部５０と前記三方弁４４の接続は、既存の配管Ｐ７を利用してもよいし、外付ユニット１３０側に用意していてもよい。そして、前記三方弁４６を、前記制御部２２に配線Ｗ８で接続することにより、上述した実施例１と同様の作用・効果を有するＣＯ２濃度センサ校正システム１００を構成することができる。本実施例によれば、前記実施例１の効果に加えて既存設備を利用できるという効果がある。
【００３３】
なお、本発明は、上述した実施例に限定されるものではなく、本発明の要旨を逸脱しない範囲内において種々変更を加え得ることができる。例えば、以下のものも含まれる。
(1)前記実施例で示した各部の形状，寸法は一例であり、必要に応じて適宜変更してよい。例えば、前記実施例では、２５０ｍｌの容器５２を用いることとしたが、これも一例であり、施設１０の規模や栽培する植物の種類等に応じて適宜変更可能である。
(2)前記実施例で示したＣＯ２吸着部５０の構成も一例であり、ＣＯ２吸着剤を通過させて、空気中のＣＯ２を吸着させることができるものであれば、適宜設計変更可能である。
(3)前記実施例１では、ＣＯ２吸着剤６０として、ソーダライム又はその相当品を用いることとしたが、これも一例であり、他の公知の各種のＣＯ２吸着剤を用いることを妨げるものではない。
(4)前記実施例１で示した１回あたりの校正時間も一例であり、使用するＣＯ２吸着剤の種類や使用量に応じて、同様の効果を奏するように適宜変更してよい。
【００３４】
(5)前記実施例１で示した校正タイミングも一例であり、必要に応じて適宜変更してよい。例えば、前記実施例では、キノコ栽培に適したタイミングとして、室内と室外の温度差が少ない時刻や、換気運転の少ない時間帯（冬なら昼、夏なら夜）を例に挙げたが、施設園芸全般としては、植物が光合成をしていない夜間に校正を行うようにしてもよい。
(6)前記実施例では、制御部２２が所定の校正タイミングで自動校正を行うこととしたが、これも一例であり、手動スイッチにより校正を開始するようにしてもよい。
(7)前記実施例１では、施設１０内に校正システムを設けることとしたが、これも一例であり、校正システムを施設１０外に設けるようにしてもよい。この場合、前記配管Ｐ１のみを施設１０内に配置しておくことで、前記実施例１と同様の作用・効果が得られる。
(8)前記実施例では、キノコ栽培を例に挙げて説明したが、本発明は、野菜，花き，果樹，果物など、各種の植物の栽培施設全般に適用可能である。
【産業上の利用可能性】
【００３５】
本発明によれば、施設外の大気（外気）の影響を受けることなく、短い時間で正確にＣＯ２濃度センサの校正を行うことができ、また、閉じた流路で少ない空気を循環させるため、吸着剤の劣化が遅く、交換間隔を長くすることができる。このため、植物栽培施設用のＣＯ２濃度センサ校正システムの用途に適用できる。特に、ＣＯ２濃度の制御が生育に大きな影響を与えるキノコ栽培施設用のＣＯ２濃度センサ校正システムの用途の好適である。
【符号の説明】
【００３６】
１０：施設
２０：ＣＯ２濃度センサ校正システム
２２：制御部
２４：カレンダ部
２６：タイマ部
２８：データ記憶部
３０：表示部・操作部
４０：ＣＯ２濃度センサ
４２：吸引ポンプ
４４，４６：三方弁
５０：ＣＯ２吸着部
５２：容器
５４：蓋
５６，５８：チューブ
６０：ＣＯ２吸着剤
６２：空間
１００：ＣＯ２濃度センサ校正システム
１１０：既存のＣＯ２濃度管理システム
１２０：既存の校正部
１３０：外付ユニット
Ｗ１〜Ｗ８：配線
Ｐ１〜Ｐ７：配管（流路）
【図１】
2018027056.tif 000003
【図２】
2018027056.tif 000004
【図３】
2018027056.tif 000005
【図４】
2018027056.tif 000006
【図５】
2018027056.tif 000007